(57)【要約】【課題】検出すべき液面が変動して安定しない場合でも、該液面の高さを正確に検出することのできるフロートスイッチを提供する。【解決手段】フロートスイッチ１は、検出すべき液面の液体が流入するハウジング４と、該ハウジング４内に支持軸５を介して揺動自在に支持されると共に、所定部位に磁石６が組み込まれたフロート７と、フロート７の磁石６との接近・離間を検出する磁気形近接スイッチ８とを備えたので、フロート７の固有振動数を上げて、振動減衰率を向上させることができるので、液面３の上下動によるフロート７の応答特性が良くなり、ハウジング４内の液面３が変動した場合でも液面３の高さを正確に検出でき、ひいては、ギヤボックス内の潤滑油の液面の高さを正確に検出することができる。【選択図】図１
2008157675.tif 000002
【特許請求の範囲】
【請求項１】
液面の高さを検出するためのフロートスイッチであって、
該フロートスイッチは、検出すべき液面の液体が流入されるハウジングと、該ハウジング内に支持軸を介して揺動自在に支持されるフロートと、該フロートの所定部位との距離に対応して起動するスイッチとを備えていることを特徴とするフロートスイッチ。
【請求項２】
前記スイッチは、前記フロートの所定部位との接近・離間を検出する近接スイッチであることを特徴とする請求項１に記載のフロートスイッチ。
【請求項３】
前記フロートの前記所定部位に磁石を設け、前記近接スイッチを、磁気検出素子を備えた磁気形近接スイッチとしたことを特徴とする請求項２に記載のフロートスイッチ。
【請求項４】
前記フロートは、前記支持軸を中心として非対称に形成されており、前記磁石が配置されている側の部位の体積を反対側の部位の体積よりも小さくなる形状に形成されていることを特徴とする請求項３に記載のフロートスイッチ。
【請求項５】
前記ハウジングの前記液体の流入口には、前記ハウジングの外から、前記ハウジング内への波動の伝播を阻止する波伝播阻止部材が配設されていることを特徴とする請求項１〜４のいずれかに記載のフロートスイッチ。
【請求項６】
前記ハウジングは、有底円筒状容器と、該有底円筒状容器の開口部を閉塞する閉塞板とからなり、前記支持軸は、前記閉塞板と前記有底円筒状容器の底壁部との間に支持されており、前記流入口は前記閉塞板に形成されると共に、前記底壁部は透明に形成されることを特徴とする請求項５に記載のフロートスイッチ。
【請求項７】
前記波伝播阻止部材は、弾性部材で形成されており、前記閉塞板にスペーサを介して取り付けられていることを特徴とする請求項６に記載のフロートスイッチ。
【発明の詳細な説明】
【技術分野】
【０００１】
本発明は、タンク等に充填される液体の液面の高さを検出するフロートスイッチに関するものである。
【背景技術】
【０００２】
一般に、タンク等に充填される液体の液面の高さが所定の範囲内であるか否かを検出する際には、単に、タンクの透明窓から液面の高さを目視で確認するか、あるいは、フロートスイッチ、静電容量式レベルスイッチ、超音波センサー等の液面スイッチを採用して液面の高さを検出している。
そこで、例えば、工作機械の軸頭、減速機等の潤滑には、ギヤ等が内蔵されるギヤボックス内に潤滑油が所定量貯留されるオイルバスが多用されている。このギヤボックス内の潤滑油の液面の高さを検出する手段として、ギヤボックス内に上述した液面スイッチを装着して液面を検出した場合、ギヤの回転により潤滑油が掻き上げられ液面が変動して安定しないために正確に液面の高さを検出することが不可能であり、また、安定しない液面に耐え得るセンサーを必要とする等の多くの問題が発生する。特に、静電容量式レベルスイッチは、液体の物性によりその検出の可否が問題とされる場合があり採用することができず、また、超音波センサーでは、超音波が照射される部位に超音波が干渉しないスペースが必要で現実的ではない。
【０００３】
ところで、上述した問題点を解決するべく他の方法として、ギヤボックスの側方にギヤボックス内の潤滑油が流入されるハウジングを設け、ハウジング内での液面の高さを検出することによりギヤボックス内の液面の高さを検出する方法がある。
しかしながら、この方法では、ハウジング内へ流入する潤滑油の量を最小限にするため、ハウジング内の容積をギヤボックス内の容積よりもはるかに小さく設定することが条件となる。そして、このような内部スペースの少ないハウジング内の潤滑油の液面を検出する手段として、液面の上下動をフロートの直線運動に置換させて液面の高さを検出する一般的なフロートスイッチを採用しようとしても、フロートが直線運動するためのスペースが無いために採用することが難しかった。
【０００４】
さらに、ギヤボックスの側方に設けたハウジング内の液面の高さを検出する場合でも、ギヤボックス内でのギヤの掻き揚げによる波動がハウジング内に流入する際に減衰はされるものの多少伝播されるため、上述したような一般的なフロートスイッチではハウジング内での液面を正確に検出することが困難である。
すなわち、液面の上下動をフロートの直線運動に置換させて液面の高さを検出する一般的なフロートスイッチでは、液面の上下動によるフロートの高さを正確に検出するためには、フロートの振動を早く減衰させることが重要で、しかも、上述したように、ハウジング内の液面が多少変動している環境においては、特にこの要件が重要となる。しかしながら、フロートの振動減衰率を上げるには、フロートの空洞率を上げるか、あるいはできる限り比重の小さい材料を採用して、フロートの固有振動数を少しでも上げる必要があるが、それには限界があった。
【０００５】
また、従来のフロートスイッチとして特許文献１には、タンクの壁面の垂直な面に取付可能なフロートスイッチが開示されている。
このフロートスイッチは、フロートが上下動可能に取付られるガイド部と、フロート内の上部に設けられたリング状の磁石と、ガイド部の上端から水平方向に延びるスイッチホルダと、該スイッチホルダに内蔵され、磁石との間の距離の変化によりＯＮ状態またはＯＦＦ状態となるスイッチとから構成されている。
【特許文献１】登録実用新案第２５９３７９６号公報
【発明の開示】
【発明が解決しようとする課題】
【０００６】
しかしながら、上述した特許文献１の発明は、フロートスイッチをタンクの壁面の垂直な面に取り付けることが前提であり、しかも、このフロートスイッチは、液面の上下動をフロートの直線運動に置換させて液面の高さを検出する構成が採用されているために、この特許文献１の発明では、上述したように、ギヤの回転により潤滑油が掻き揚げられ液面が安定しない液面の高さを検出することは不可能である。
【０００７】
本発明は、かかる点に鑑みてなされたものであり、検出すべき液面が変動して安定しない場合でも、該液面の高さを正確に検出することのできるフロートスイッチを提供することを目的とする。
【課題を解決するための手段】
【０００８】
上記課題を解決するために、本発明のフロートスイッチは、検出すべき液面の液体が流入されるハウジングと、該ハウジング内に支持軸を介して揺動自在に支持されるフロートと、該フロートの所定部位との距離に対応して起動するスイッチとを備えていることを特徴としている。
これにより、フロートを揺動自在に支持することにより固有振動数を上げて、振動減衰率を向上させることができるので、液面の上下動によるフロートの応答特性が良くなり、ハウジング内における狭いスペースにおいて、その液面が多少変動しても、該液面の高さを正確に検出することができる。
なお、本発明のフロートスイッチの各種態様およびそれらの作用については、以下の（発明の態様）の項において詳しく説明する。
【０００９】
（発明の態様）
以下に、本願において特許請求が可能と認識されている発明（以下、「請求可能発明」という場合がある。）の態様をいくつか例示し、それらについて説明する。なお、各態様は、請求項と同様に、項に区分し、各項に番号を付して、必要に応じて他の項を引用する形式で記載する。これは、あくまでも請求可能発明の理解を容易にするためであり、請求可能発明を構成する構成要素の組み合わせを、以下の各項に記載されたものに限定する趣旨ではない。つまり、請求可能発明は、各項に付随する記載、実施の形態等に参酌して解釈されるべきであり、その解釈に従う限りにおいて、各項の態様にさらに他の構成要素を付加した態様も、また、各項の態様から構成要件を削除した態様も、請求可能発明の一態様となり得るのである。なお、以下の各項において、（１）乃至（７）項の各々が、請求項１乃至請求項７の各々に相当する。
【００１０】
（１）液面の高さを検出するためのフロートスイッチであって、該フロートスイッチは、検出すべき液面の液体が流入されるハウジングと、該ハウジング内に支持軸を介して揺動自在に支持されるフロートと、該フロートの所定部位との距離に対応して起動するスイッチとを備えていることを特徴とするフロートスイッチ。
従って、（１）項のフロートスイッチでは、検出すべき液面が上下動することにより、ハウジング内の液面が上下動すると、フロートが支持軸を介して揺動し、フロートの所定の部位との距離に対応してスイッチが起動する。
このように（１）項のフロートスイッチでは、検出すべき液面の液体が流入されるハウジング内にフロートを揺動自在に支持することにより、フロートの固有振動数を、その材料によってではなく、その形状によって上げることができる。すなわち、支持軸を中心としてフロートの両側の各部位が極力重量バランスがとれる形状に形成することで固有振動数を上げて、フロートの振動減衰率を向上させることが可能となる。これにより、液面の上下動によるフロートの応答特性が良くなり、ハウジング内における狭いスペースにおいて、ハウジング内の液面が多少変動しても、該液面の高さを正確に検出することが可能となり、ひいては、検出すべき液面が安定していない場合でも、該液面の高さを正確に検出することができる。
【００１１】
（２）前記スイッチは、前記フロートの所定部位との接近・離間を検出する近接スイッチであることを特徴とする（１）項に記載のフロートスイッチ。
従って、（２）項のフロートスイッチでは、検出すべき液面が上下動することにより、ハウジング内の液面が上下動すると、フロートが揺動し、フロートの所定部位が接近してその距離が所定の範囲内となれば近接スイッチが起動する。
【００１２】
（３）前記フロートの前記所定部位に磁石を設け、前記近接スイッチを、磁気検出素子を備えた磁気形近接スイッチとしたことを特徴とする（２）項に記載のフロートスイッチ。
従って、（３）項のフロートスイッチでは、フロートの所定部位に磁石を設け、磁気検出素子を備えた磁気形近接スイッチにより磁石との接近・離間を検出している。
なお、本項では、近接スイッチは、フロートの所定部位に磁石を設け、磁気形近接スイッチを採用しているが、別例として、フロートを合成樹脂材で形成し、その所定部位に金属を配し、この金属との接近・離間を誘導形近接スイッチで検出することもできる。
【００１３】
（４）前記フロートは、前記支持軸を中心として非対称に形成されており、前記磁石が配置されている側の部位の体積を反対側の部位の体積よりも小さくなる形状に形成されていることを特徴とする（３）項に記載のフロートスイッチ。
従って、（４）項のフロートスイッチでは、フロートの形状を、支持軸を中心として比重の大きい磁石が配置される側の部位の体積をその反対側の部位の体積よりも小さくし、重量バランスをとりながら体積の大きい方が僅かに慣性モーメントが大きくなるように形成したので、ハウジング内の液面が上がると、体積の大きい部位に、より大きい浮力が作用するので支持軸を中心に上方に向かって回動し、一方、ハウジング内の液面が下がると、体積の大きい部位が慣性モーメントにより支持軸を中心に下方に向かって回動する。
【００１４】
（５）前記ハウジングの前記液体の流入口には、前記ハウジングの外から、前記ハウジング内への波動の伝播を阻止する波伝播阻止部材が配設されていることを特徴とする（１）項〜（４）項のいずれかに記載のフロートスイッチ。
従って、（５）項のフロートスイッチでは、液体の攪拌等により発生する波動がハウジング内へ伝播されるのを抑えることができる。
【００１５】
（６）前記ハウジングは、有底円筒状容器と、該有底円筒状容器の開口部を閉塞する閉塞板とからなり、前記支持軸は、前記閉塞板と前記有底円筒状容器の底壁部との間に支持されており、前記流入口は前記閉塞板に形成されると共に、前記底壁部は透明に形成されることを特徴とする（５）項に記載のフロートスイッチ。
従って、（６）項のフロートスイッチでは、有底円筒状容器と閉塞板とからなるハウジング内で、閉塞板と、有底円筒状容器の底壁部との間に支持軸を掛け渡したので、ハウジング内で効率良くフロートを揺動させることができ、ハウジングをコンパクトにすることができる。さらに、有底円筒状容器の底壁部を透明にしたので、作業者が直接目視によりハウジング内の液面の高さを確認することができる。
【００１６】
（７）前記波伝播阻止部材は、弾性部材で形成されており、前記閉塞板にスペーサを介して取り付けられていることを特徴とする（６）項に記載のフロートスイッチ。
従って、（７）項のフロートスイッチでは、弾性部材により、液体の波動を吸収して、波動がハウジング内に伝播されるのを抑えている。
【００１７】
（８）前記支持軸は、前記ハウジングの軸芯からオフセットされた位置に配置されていることを特徴とする（６）項または（７）項に記載のフロートスイッチ。
従って、（８）項のフロートスイッチでは、支持軸を中心として非対称に形成されたフロートを配置する際、ハウジング内のスペースを有効に活用することができる。
【００１８】
（９）前記検出すべき液面は、ギヤボックスに貯留されている潤滑油の液面であることを特徴とする（１）項〜（８）項のいすれかに記載のフロートスイッチ。
従って、（９）項のフロートスイッチでは、ギヤの回転により潤滑油が掻き揚げられて、液面が安定しないギヤボックス内の液面の高さを正確に検出することができる。
【００１９】
（１０）前記ハウジングは、透明に形成された前記底壁部が外部に露出するように、前記ギヤボックスの壁部内に組み込まれることを特徴とする（９）項に記載のフロートスイッチ。
従って、（１０）項のフロートスイッチでは、ギヤボックスの内外にフロートスイッチ用の特別なスペースを設ける必要がない。
【発明の効果】
【００２０】
本発明によれば、検出すべき液面が変動して安定しない場合でも、該液面の高さを正確に検出することのできるフロートスイッチを提供することができる。
【発明を実施するための最良の形態】
【００２１】
以下、本発明を実施するための最良の形態を図１〜図３に基いて詳細に説明する。
本発明の実施の形態に係るフロートスイッチ１は、図１及び図３に示すように、ギヤボックス２内の潤滑油（液体）の液面３の高さを検出するものであり、ギヤボックス２内に充填されている潤滑油が流入されるハウジング４と、該ハウジング４内に支持軸５を介して揺動自在に支持されると共に、所定部位に磁石６が組み込まれたフロート７と、フロート７内の磁石６との接近・離間を検出する磁気形近接スイッチ（近接スイッチ）８とを備えている。
【００２２】
また、本フロートスイッチ１は、図３に示すギヤボックス２の壁部２ａに組み込まれるもので、ギヤボックス２の壁部２ａには、潤滑油の液面３付近に、後述するフロートスイッチ１のゴムパッキン２６が圧入される小径開口部２ｂと、後述するフロートスイッチ１のハウジング本体１０の大径部１２が挿入される大径開口部２ｃとが形成されている。
【００２３】
ハウジング４は、図１及び図２に示すように、その内部が断面蒲鉾形状に開口された内部空間１５を有すると共に、内部空間１５の端部が段差を形成するように拡径された開口部１６を有する有底円筒状容器で形成され、その壁部全体が透明に形成されたハウジング本体１０と、該ハウジング本体１０の端部の開口部１６に装着され、ハウジング本体１０の内部空間１５を閉塞する円板状の閉塞板１１とから構成される。
【００２４】
また、ハウジング本体１０の外周面は、ギヤボックス２の壁部２ａに設けた大径開口部２ｃに挿入可能な大径部１２と、大径部１２から閉塞板１１側に形成された小径部１３とが形成されている。なお、大径部１２の長さは、ギヤボックス２の壁部２ａに設けた大径開口部２ｃの厚みと略同じかあるいは若干薄く形成されている。
ハウジング本体１０の大径部１２には、断面蒲鉾状に形成された内部空間１５の平面部分１５ａ側の壁部に、その外周面の一部位から断面矩形状で軸方向と直交し、平面部分１５ａに沿って略平行に凹設される凹部１４が形成されている。この凹部１４に磁気形近接スイッチ８が備えられている。この磁気形近接スイッチ８は、基板２０上に、凹部１４の底部側から、磁界検出素子であるホール素子２１と、ホール素子２１が起動することにより点灯するＬＥＤ２２と、トランジスタ２３とが配置されて構成されている。なお、凹部１５内にはモールド材２５が充填されて基板２０等が保護されている。
【００２５】
ハウジング本体１０の小径部１３には、円筒状のゴムパッキン２６が装着される。このゴムパッキン２６は、小径部１３に挿通される円筒状本体部２７と、該円筒状本体部２７の一端側で外方に突設される環状フランジ部２８と、円筒状本体部２７の他端側で内方に突設され先端に環状爪部２９を有する環状ストッパ部３０とから構成されている。
なお、ゴムパッキン２６の環状フランジ部２８の外周径は、ハウジング本体１０の大径部１２の外周径と略同一に形成されている。また、ゴムパッキン２６の円筒状本体部２７の外周径は、ハウジング本体１０の大径部１２の外周径よりも僅かに小さく形成され、ギヤボックス２の壁部２ａに設けた小径開口部２ｂに圧入できる程度に形成される。また、ゴムパッキン２６の円筒状本体部２７の長さは、ギヤボックス２の壁部２ａの小径開口部２ｂの厚みと略同じかあるいは若干薄く形成されている。
そして、ゴムパッキン２６をハウジング本体１０の小径部１３に装着する際には、ゴムパッキン２６を、環状フランジ部２８がハウジング本体１０の小径部１３と大径部１２との間の環状段部３１に当接されるまで小径部１３に挿入すると共に、ゴムパッキン２６の環状ストッパ部３０の環状爪部２９を閉塞板１１の外周端部に当接させるようにして装着する。
【００２６】
閉塞板１１は、図１及び図２に示すように、円板状に形成され、その外周端部にギヤボックス２内の潤滑油がハウジング本体１０内に流入される流入口３５が形成されると共に、この流入口３５と反対側の外周端部にはエア抜き口３６が形成されている。この流入口３５は、閉塞板１１がハウジング本体１０の端部の開口部１６に取り付けられた状態で、ハウジング本体１０の凹部１４の開放側に配置される。また、図１に示すように、閉塞板１１には、流入口３５及びエア抜き口３６の近傍にフロート７の揺動を規制する軸状ストッパ３７、３７がそれぞれ突設されている。これら軸状ストッパ３７、３７は、閉塞板１１がハウジング本体１０の端部の開口部１６に取り付けられた状態で、ハウジング本体１０の凹部１４側に配置されるようになる。
また、閉塞板１１には、流入口３５を覆うように、閉塞板１１よりも若干小径の円形状に形成されたゴム板（波伝播阻止部材）４０がスペーサ４１を介して取付ボルト４２で取り付けられている。取付ボルト４２は、ゴム板４０の略中心を固定している。なお、ゴム板４０は閉塞板１１に取り付いた状態で、ゴムパッキン２６の環状ストッパ３０から外方に突出されないようになっている。
【００２７】
また、図１及び図２に示すように、ハウジング本体１０の断面蒲鉾状の内部空間１５には、ブロック状のフロート７が支持軸５を介して揺動自在に支持されている。支持軸５は、閉塞板１１と、この閉塞板１１と対向するハウジング本体１０の壁部（有底円筒状容器の底壁部）４３との間に掛け渡され、閉塞板１１及び壁部４３のそれぞれに固定されている。支持軸５の位置は、ハウジング４の軸芯から凹部１４側にオフセットされた位置となる。また、フロート７と閉塞板１１との間及びフロート７と壁部４３との間にはそれぞれスペーサ４５、４５が介設されている。
フロート７には、支持軸５よりも凹部１４側の所定部位に磁石６が組み込まれている。また、フロート７は、支持軸５を中心として比重の大きい磁石６側の部位がその反対側の部位よりもその体積が小さくなる形状に形成されると共に、比重の大きい磁石６側の部位と反対側の部位とが支持軸５を中心として極力重量バランスがとれるように形成され、体積の大きい側の部位が僅かに慣性モーメントが大きくなる形状に形成されている。
これにより、フロート７の固有振動数を上げることができ、フロート７の振動減衰率を向上させることが可能となる。
【００２８】
次に、本発明の実施の形態に係るフロートスイッチ１の作用を説明する。
フロートスイッチ１を、閉塞板１１に設けた流入口３５が下方に位置するように配して、ゴムパッキン２６をギヤボックス２の小径開口部２ｂに圧入すると共に、ハウジング本体１０の大径部１２をギヤボックス２の大径開口部２ｃに挿入して、ギヤボックス２の壁部２ａに装着した状態とする。
そして、ギヤボックス２内に潤滑油が充填されると共に、その潤滑油が流入口３５からハウジング４の内部空間１５に流入して、ギヤボックス２内の潤滑油の液面３の高さとハウジング４内の潤滑油の液面３の高さが同一となる。
【００２９】
そして、ギヤボックス２内の潤滑油の液面３が所定の範囲内であれば、フロートスイッチ１の磁気形近接スイッチ８が起動する。すなわち、フロート７の磁石６とホール素子２１との間の距離が所定の範囲内となり、ホール素子２１が起動してＬＥＤ２２が点灯された状態となる。
その後、何らかの事由によりギヤボックス２内の潤滑油が減り、ハウジング４内の潤滑油の液面３が下がってくると、フロート７は、支持軸５を介して体積の大きい部位が下方に回動すると共に磁石６側の部位が上方に回動して、磁石６がホール素子２１から離間し両者６、２１の間の距離が所定の範囲外となり、ホール素子２１が起動しないことからＬＥＤ２２が消灯される。
【００３０】
続いて、作業者は、フロートスイッチ１のＬＥＤ２２が消灯された状態を確認し、さらに、ハウジング４内の液面３の高さをハウジング本体１０の壁部４３から直接目視で確認することにより、ギヤボックス２内の潤滑油が所定量充填されていないことを認識する。
そして、作業者は、ギヤボックス２内へ潤滑油を補給する。すると、ハウジング４内の液面３が上昇することにより、ハウジング４内のフロート７は、支持軸５を介して体積の大きい部位が上方に回動すると共に磁石６側の部位が下方に回動して、磁石６がホール素子２１に接近して両者６、２１の間の距離が所定の範囲内となり、ホール素子２１が起動してＬＥＤ２２が点灯される。
このように、本フロートスイッチ１は、ギヤボックス２内の潤滑油が流入されるハウジング４内の液面３の高さを、フロート７の揺動による磁石６との接近・離間を検出する磁気形近接スイッチ８によって検出するものである。
【００３１】
また、本実施の形態に係るフロートスイッチ１は、ギヤボックス２内のギヤ９が回転して潤滑油が掻き揚げられている状態であっても、ギヤボックス２内の潤滑油の波動は、ハウジング４の流入口３５を覆うゴム板４０によりある程度吸収されて、激しい波動がハウジング４内へ伝播されるのを抑えている。しかも、フロート７は支持軸５を介して揺動自在とし、その形状を、支持軸５を中心として両側の部位が極力重量バランスのとれる形状に形成することにより、固有振動数を上げて、振動減衰率を向上させているので、ハウジング４内の液面３が多少変動していても、フロート７が大きく揺動することはなく、ハウジング４内の液面３が所定の高さの範囲内であるか否かを適切に検出することができる。
【００３２】
以上説明したように、本発明の実施の形態に係るフロートスイッチ１は、フロート７を揺動自在に支持し、その形状を、支持軸５を中心として両側の部位が極力重量バランスのとれる形状に形成することにより、固有振動数を上げて、振動減衰率を向上させているので、液面３の上下動によるフロート７の応答特性が良くなり、ハウジング４内の液面３が多少変動していてもフロート７が適切に揺動して、ハウジング４内、すなわちギヤボックス２内の潤滑油の液面３の高さが所定の範囲内であるか否かを正確に検出することができる。
【００３３】
また、本発明の実施の形態に係るフロートスイッチ１は、ハウジング本体１０の内部空間１５を閉塞する閉塞板１１には、流入口３５を覆うようにスペーサ４１を介してゴム板４０が取り付けられているので、ギヤ９の回転によりギヤボックス２内の潤滑油が掻き揚げられても、ギヤボックス２内の潤滑油の波動はゴム板４０にある程度吸収されるので、激しい波動がハウジング４内へ伝播されるのを防くことができる。
【００３４】
さらに、本発明の実施の形態に係るフロートスイッチ１では、液面３の高さをフロート７の直線運動に置換させる従来方式からフロート７の揺動により液面３の高さを検出する方式に変え、しかも、磁石６を組み込んだ状態で極力重量バランスがとれるように非対称に形成したフロート７を、ハウジング４の軸芯からオフセットさせたハウジング４内に収納しているので、ハウジング４をよりコンパクトにすることができる。
【図面の簡単な説明】
【００３５】
【図１】図１は、本発明の実施の形態に係るフロートスイッチの縦断面図である。
【図２】図２は、本発明の実施の形態に係るフロートスイッチの横断面図である。
【図３】図３は、本フロートスイッチが組み込まれるギヤボックスの壁部の断面図である。
【符号の説明】
【００３６】
１  フロートスイッチ，２  ギヤボックス，３  液面，４  ハウジング，５  支持軸，６  磁石，７  フロート，８  磁気形近接スイッチ（近接スイッチ），１０  ハウジング本体（有底円筒状容器），１１  閉塞板，２１  ホール素子（磁気検出素子），３５  流入口，４０  ゴム板（波伝播阻止部材），４１  スペーサ，４３  壁部，
【図１】
2008157675.tif 000003
【図２】
2008157675.tif 000004
【図３】
2008157675.tif 000005